(57)【要約】【課題】電線の接地作業に先立ち電線の充電状態の確認作業を行う際に、作業者が感電することを防止することのできる電線用作業工具を提供することを課題とする。【解決手段】長尺な絶縁操作棒２と、構造物に保持されている電線に接近させることで該電線の充電状態を確認する検電部材３と、電線を接地する接地構造４とを備え、接地構造４は、電線と電気的に接続される電線接続部４０と、構造物に取り付けられる接地金具４１と、電線接続部４０から延びる一次側接地線４２０及び接地金具４１から延びる二次側接地線４２１を含み、電線接続部４０と接地金具４１とを電気的に接続する接地線４２と、一次側接地線４２０と二次側接地線４２１とを連結可能な連結部材４３とを有し、連結部材４３は、少なくとも電線の充電状態を確認しているときに作業者のアクセスを不能な位置に配置されるようにすることを特徴とする。【選択図】図１
2014050286.tif 000002
【特許請求の範囲】
【請求項１】
長尺な絶縁操作棒であって、長手方向に基端と該基端とは反対側の先端とを有する絶縁操作棒と、構造物に保持されている電線に接近させることで該電線の充電状態を確認する検電部材であって、絶縁操作棒の先端側に位置する検電部材と、電線を接地する接地構造とを備え、接地構造は、電線に対して電気的に接続される電線接続部であって、絶縁操作棒の先端に取り付けられる電線接続部と、構造物に取り付けられる接地金具と、電線接続部から延びる一次側接地線及び接地金具から延びる二次側接地線を含み、電線接続部と接地金具とを電気的に接続する接地線と、一次側接地線と二次側接地線とを連結可能な連結部材とを備え、連結部材は、少なくとも電線の充電状態を確認しているときに作業者のアクセスを不能にする位置に配置されることを特徴とする電線用作業工具。
【請求項２】
一次側接地線を絶縁操作棒の先端側に保持する先端側保持部材を備え、接地線の一次側接地線は、電線接続部に接続される基端と該基端とは反対側の先端とを有し、接地線の二次側接地線は、接地金具に接続される基端と該基端とは反対側の先端とを有し、連結部材は、一次側接地線の先端に取り付けられる一次側連結部と、二次側接地線の先端に取り付けられる二次側連結部であって、絶縁操作棒の先端側で一次側接地線に連結可能な二次側連結部とを備え、先端側保持部材は、一次側接地線の先端側が絶縁操作棒の基端側に向かうように一次側接地線を絶縁操作棒に保持するようになっている、請求項１に記載の電線用作業工具。
【請求項３】
連結部材の一次側連結部と連結部材の二次側連結部とのそれぞれは、互いに引き寄せあう磁力を有する請求項２に記載の電線用作業工具。
【請求項４】
二次側接地線の先端を一次側接地線の先端に案内するガイド部材を備える請求項２又は３に記載の電線用作業工具。
【請求項５】
一次側接地線を絶縁操作棒の基端側に保持する基端側保持部材を備え、接地線の一次側接地線は、電線接続部に接続される基端と該基端とは反対側の先端とを有し、接地線の二次側接地線は、接地金具に接続される基端と該基端とは反対側の先端とを有し、連結部材は、一次側接地線の先端に取り付けられる一次側連結部と、二次側接地線の先端に取り付けられる二次側連結部であって、絶縁操作棒の先端側で一次側接地線に連結可能な二次側連結部とを備える請求項１に記載の電線用作業工具。
【発明の詳細な説明】
【技術分野】
【０００１】
本発明は、電線の充電状態の確認、及び電線の接地を行うための電線用作業工具に関する。
【背景技術】
【０００２】
従来から、電線が架設されている構造物（例えば、電柱や、鉄塔等）上で工事が行われることがある。このような工事を行うにあたり、作業者の安全性を確保すべく、電線の充電状態の確認及び電線の接地が行われる。
【０００３】
電線の充電状態の確認及び電線の接地を行う場合、長尺な絶縁操作棒であって、長手方向に基端と該基端とは反対側の先端とを有する絶縁操作棒と、構造物に保持されている電線に接近させることで該電線の充電状態を確認する検電部材であって、絶縁操作棒の先端側に位置する検電部材と、電線を接地する接地構造とを備える電線用作業工具が用いられている。
【０００４】
そして、接地構造は、電線に対して電気的に接続される電線接続部であって、絶縁操作棒の先端に取り付けられる電線接続部と、構造物に取り付けられる接地金具と、電線接続部と接地金具とを電気的に接続する接地線とを有している（例えば、特許文献１参照）。
【０００５】
この種の電線用作業工具を用いて電線の充電状態の確認及び電線の接地を行う場合、接地金具が構造物に取り付けられる。このような状態で、検電部材を作業対象となる電線に接近させて電線の充電状態を確認する。そして、電線の充電状態を確認した後に、電線接続部を電線に接続することで、当該電線を接地している。
【先行技術文献】
【特許文献】
【０００６】
【特許文献１】特開平９−１６３５３４号公報
【０００７】
ところで、上述の電線用作業工具では、接地金具が構造物に取り付けられている状態で電線の充電状態の確認や、電線の接地を行っている。そのため、電線が充電状態になっていると、電線から接地構造に流れた電流によって作業者が感電する虞があった。
【発明の概要】
【発明が解決しようとする課題】
【０００８】
そこで、本発明は、斯かる実情に鑑み、電線の充電状態を確認する際に、作業者が感電することを防止することのできる電線用作業工具を提供することを課題とする。
【課題を解決するための手段】
【０００９】
本発明に係る電線用作業工具は、長尺な絶縁操作棒であって、長手方向に基端と該基端とは反対側の先端とを有する絶縁操作棒と、構造物に保持されている電線に接近させることで該電線の充電状態を確認する検電部材であって、絶縁操作棒の先端側に位置する検電部材と、電線を接地する接地構造とを備え、接地構造は、電線と電気的に接続される電線接続部であって、絶縁操作棒の先端に取り付けられる電線接続部と、構造物に取り付けられる接地金具と、電線接続部から延びる一次側接地線及び接地金具から延びる二次側接地線を含み、電線接続部と接地金具とを電気的に接続する接地線と、一次側接地線と二次側接地線とを連結可能な連結部材とを有し、連結部材は、少なくとも電線の充電状態を確認しているときに作業者のアクセスを不能にする位置に配置されることを特徴とする。
【００１０】
上記構成の電線用作業工具によれば、構造物に保持されている電線に接近させることで該電線の充電状態を確認する検電部材を備えているため、作業者によって絶縁操作棒が操作され、検電部材が電線に接近することで、該電線の充電状態を確認することができる。
【００１１】
また、上記構成の電線用作業工具は、電線に対して電気的に接続される電線接続部であって、絶縁操作棒の先端に取り付けられる電線接続部と、構造物に取り付けられる接地金具とを備えている。そのため、上記構成の電線用作業工具では、構造物に取り付けられた接地金具に対して電線接続部を電気的に接続し、当該電線接続部を電線に接続することによって、電線を接地することができる。
【００１２】
そして、上記構成の電線用作業工具によれば、一次側接地線と二次側接地線とを連結可能な連結部材を備えるため、電線接続部から延びる一次側接地線と接地金具から延びる二次側接地線との連結を解除すると、一次側接地線と二次側接地線とが縁切りされる。これに伴い、電線接続部と接地金具とが縁切りされる。
【００１３】
そのため、上記構成の電線用作業工具では、電線接続部と接地金具とを縁切りした状態で電線の充電状態を確認することができる。従って、充電状態を確認する対象となる電線に電流が流れていたとしても、電線から接地金具に電流が流れることを防止できる。
【００１４】
さらに、上記構成の電線用作業工具では、少なくとも電線の充電状態を確認しているときに、連結部材が作業者からのアクセスを不能にする位置に配置される。そのため、上記構成の電線用作業工具では、少なくとも電線の充電状態を確認しているときに、電線接続部及び一次側接地線に対する作業者からのアクセスが不能になる。従って、上記構成の電線用作業工具では、電線の充電状態を確認するときに、電線接続部及び一次側接地線に作業者が接触することも防止できる。
【００１５】
本発明の一態様として、一次側接地線を絶縁操作棒の先端側に保持する先端側保持部材を備え、一次側接地線は、電線接続部に接続される基端と該基端とは反対側の先端とを有し、二次側接地線は、接地金具に接続される基端と該基端とは反対側の先端とを有し、連結部材は、一次側接地線の先端に取り付けられる一次側連結部と、二次側接地線の先端に取り付けられる二次側連結部であって、絶縁操作棒の先端側で一次側接地線に連結可能な二次側連結部とを備え、先端側保持部材は、一次側接地線の先端側が絶縁操作棒の基端側に向かうように一次側接地線を絶縁操作棒に保持するようにしてもよい。
【００１６】
上記構成の電線用作業工具では、連結部材が一次側接地線の先端に取り付けられる一次側連結部と、二次側接地線の先端に取り付けられる二次側連結部であって、絶縁操作棒の先端側で一次側接地線に連結可能な二次側連結部とを備えている。そのため、上記構成の電線用作業工具では、一次側接地線が絶縁操作棒の基端側から離れた場所に位置している。従って、上記構成の電線用作業工具では、電線の充電状態を確認するときに、検電部材及び一次側接地線に作業者が接触することをより確実に防止できる。
【００１７】
また、上記構成の電線用作業工具の先端側保持部材は、一次側接地線の先端側が絶縁操作棒の基端側に向かうように一次側接地線を絶縁操作棒に保持するようになっているため、一次側接地線の先端に取り付けられる一次側連結部と、二次側接地線の先端に取り付けられる二次側連結部とを簡単に連結させることができる。
【００１８】
この場合、連結部材の一次側連結部と連結部材の二次側連結部とのそれぞれは、互いに引き寄せあう磁力を有するようにしてもよい。このようにすれば、一次側連結部と二次側連結部とは、直接操作されることを必要とせずに互いに連結することができる。従って、上記構成の電線用作業工具では、より簡単に一次側連結部と二次側連結部とを連結させることができる。
【００１９】
この場合、二次側接地線の先端を一次側接地線の先端に案内するガイド部材を備えるようにしてもよい。このようにすれば、二次側連結部を一次側連結部に容易に接近させることができる。そのため、上記構成の電線用作業工具では、一次側連結部と二次側連結部とをより簡単に連結させることができる。
【００２０】
本発明の他の態様として、一次側接地線を絶縁操作棒の基端側に保持する基端側保持部材を備え、接地線の一次側接地線は、電線接続部に接続される基端と該基端とは反対側の先端とを有し、接地線の二次側接地線は、接地金具に接続される基端と該基端とは反対側の先端とを有し、連結部材は、一次側接地線の先端に取り付けられる一次側連結部と、二次側接地線の先端に取り付けられる二次側連結部であって、絶縁操作棒の先端側で一次側接地線に連結可能な二次側連結部とを備えるようにすることもできる。
【００２１】
上記構成の電線用作業工具によれば、一次側接地線が基端側保持部材によって絶縁操作棒の基端側に保持されている。そのため、上記構成の電線用作業工具では、電線の充電状態を確認した後に、作業者が一次側連結部と二次側連結部とを直接操作して互いに連結させることができる。従って、上記構成の電線用作業工具では、より簡単に一次側連結部と二次側連結部とを連結させることができる。
【発明の効果】
【００２２】
以上のように、本発明に係る電線用作業工具によれば、電線の充電状態を確認する際に、作業者が感電することを防止することができるという優れた効果を奏し得る。
【図面の簡単な説明】
【００２３】
【図１】図１は、本発明の第一の実施形態に係る電線用作業工具の全体概要図であって、絶縁操作棒を分割している状態の電線用作業工具の全体概要図である。
【図２】図２は、本発明の第一の実施形態に係る電線用作業工具の全体概要図であって、絶縁操作棒を連結している状態の電線用作業工具の全体概要図である。
【図３】図３は、同実施形態に係る電線用作業工具の部分拡大図であって、電線接続部の部分拡大図である。
【図４】図４は、同実施形態に係る電線用作業工具の部分拡大図であって、接地金具の部分拡大図である。
【図５】図５は、同実施形態に係る電線用作業工具を用いて電線の充電状態を確認している状態の説明図である。
【図６】図６は、同実施形態に係る電線用作業工具を用いて電線の接地をしている状態の説明図である。
【図７】図７は、本発明の第二の実施形態に係る電線用作業工具の全体概要図であって、絶縁操作棒を連結している状態の電線用作業工具の全体概要図である。
【図８】図８は、同実施形態に係る電線用作業工具の部分拡大図であって、電線接続部の部分拡大図である。
【図９】図９は、同実施形態に係る電線用作業工具の部分拡大図であって、接地金具の部分拡大図である。
【図１０】図１０は、同実施形態に係る電線用作業工具を用いて電線の充電状態を確認している状態の説明図である。
【図１１】図１１は、同実施形態に係る電線用作業工具を用いて電線の接地をしている状態の説明図である。
【発明を実施するための形態】
【００２４】
図１及び図２に示すように、本実施形態に係る電線用作業工具１は、長尺な絶縁操作棒２であって、長手方向に基端と該基端とは反対側の先端とを有する絶縁操作棒２と、構造物に保持されている電線に接近させることで該電線の充電状態を確認する検電部材３であって、絶縁操作棒２の先端側に位置する検電部材３と、電線を接地する接地構造４とを備えている。
【００２５】
絶縁操作棒２は、長手方向で分割できるようになっている。すなわち、絶縁操作棒２は、長手をなす分割体２０であって、長手方向に第一端と該第一端とは反対側の第二端とを有する分割体２０を複数（本実施形態では５つ）備えている。そして、分割体２０，２０…のそれぞれは、第二端に別の分割体２０の第一端を連結できるようになっている。
【００２６】
図３に示すように、検電部材３は、後述する電線接続部４０の一方の案内部４０２に設けられる第一端と該第一端とは反対側の第二端とを有する。なお、本実施形態において、検電部材３は、金属製の材料で形成されており、充電状態の電線に接近すると、スパッタが発生するようになっている。これにより、電線用作業工具１では、検電部材３によって、電線の充電状態を確認できるようになっている。
【００２７】
図１及び図２に戻り、接地構造４は、電線に対して電気的に接続される電線接続部４０であって、絶縁操作棒２の先端に取り付けられる電線接続部４０と、構造物に取り付けられる接地金具４１と、電線接続部４０から延びる一次側接地線４２０及び接地金具４１から延びる二次側接地線４２１を含み、電線接続部４０と接地金具４１とを電気的に接続する接地線４２と、一次側接地線４２０と二次側接地線４２１とを連結可能な連結部材４３とを備えている。
【００２８】
図３に示すように、電線接続部４０は、絶縁操作棒２の先端（絶縁操作棒２の最も先端側に位置する分割体２０）に取り付けられる取付ベース４００と、取付ベース４００から延出する一対の挟持部４０１，４０１と、該一対の挟持部４０１，４０１のそれぞれから延出する案内部４０２と、一次側接地線４２０を電気的に接続する一次側固定部４０３とを備えている。
【００２９】
一対の挟持部４０１，４０１のそれぞれは、取付ベース４００に取り付けられる第一端と該第一端とは反対側の第二端とを有する。また、一対の挟持部４０１，４０１のそれぞれは、互いに対向する対向面４０１ａを有する。一方の挟持部４０１の第一端は、取付ベース４００に固定されている（取付ベース４００と一体的に形成されている）。そして、一方の挟持部４０１の対向面４０１ａは、他方の挟持部４０１から離間する方向に凸となるように湾曲している。
【００３０】
他方の挟持部４０１の第一端は、取付ベース４００に枢結されている。そのため、電線接続部４０では、他方の挟持部４０１を回転させることで、一方の挟持部４０１に対して他方の挟持部４０１を接離させることができるようになっている。なお、図示していないが、他方の挟持部４０１は、第二端が一方の挟持部４０１の第二端に接近するように付勢されている。
【００３１】
他方の挟持部４０１の対向面４０１ａは、一方の挟持部４０１から離間する方向に凸となるように湾曲している。そのため、電線接続部４０では、一方の挟持部４０１の第二端と他方の挟持部４０１の第二端とが当接しても、一方の挟持部４０１の対向面４０１ａと、他方の挟持部４０１の対向面４０１ａとの間に空間が形成されるようになっている。
【００３２】
一方の案内部４０２は、一方の挟持部４０１の第二端と一体的に形成される第一端と該第一端とは反対側の第二端とを有する。また、上述のように、一方の案内部４０２には、検電部材３が設けられている。より具体的に説明すると、一方の案内部４０２の第二端には、検電部材３の第一端が設けられている。他方の案内部４０２は、他方の挟持部４０１の第二端と一体的に形成される第一端と該第一端とは反対側の第二端とを有する。
【００３３】
そして、一方の案内部４０２と他方の案内部４０２とは、第一端から第二端になるにつれて、互いに離間するようになっている。すなわち、一方の案内部４０２と他方の案内部４０２とは、挟持部４０１から互いに相反する方向に向けて延出している。
【００３４】
一次側固定部４０３は、取付ベース４００と一方の挟持部４０１とに跨って取り付けられている。これにより、電線接続部４０には、一次側接地線４２０が電気的に接続されている。
【００３５】
図４に示すように、接地金具４１は、固定側挟持面４１０ａを有するベース部材４１０と、該固定側挟持面４１０ａと対向する可動側挟持面４１１ａを有する押圧部材４１１とを備えている。また、接地金具４１は、二次側接地線４２１を電気的に接続する二次側固定部４１２を備えている。
【００３６】
ベース部材４１０は、固定側挟持面４１０ａの面直交方向で該固定側挟持面４１０ａと間隔をあけて設けられる台部４１０ｂを有する。そして、台部４１０ｂには、固定側挟持面４１０ａの面直交方向で貫通するネジ穴４１０ｃが形成されている。
【００３７】
押圧部材４１１は、上述の可動側挟持面４１１ａに加えて、前記ネジ穴４１０ｃに挿通される雄ネジ部４１１ｂであって、可動側挟持面４１１ａに設けられる第一端と該第一端とは反対側の第二端とを有する雄ネジ部４１１ｂと、可動側挟持面４１１ａの第二端に取り付けられる摘部４１１ｃとを備えている。
【００３８】
可動側挟持面４１１ａは、固定側挟持面４１０ａと台部４１０ｂとの間に配置されている。そのため、押圧部材４１１では、摘部４１１ｃを操作して雄ネジ部４１１ｂを回転させることで、可動側挟持面４１１ａを固定側挟持面４１０ａに対して接離させることができるようになっている。
【００３９】
二次側固定部４１２は、ベース部材４１０の台部４１０ｂに取り付けられている。また、二次側固定部４１２は、ベース部材４１０、押圧部材４１１のそれぞれと電気的に接続されている。これにより、接地金具４１には、二次側接地線４２１が電気的に接続されている。
【００４０】
図３及び図４に示すように、一次側接地線４２０は、電線接続部４０（一次側固定部４０３）に接続される基端と、該基端とは反対側の先端とを有する（図３参照）。そして、二次側接地線４２１は、接地金具４１（二次側固定部４１２）に接続される基端と、該基端とは反対側の先端とを有する（図４参照）。
【００４１】
図１及び図２に戻り、連結部材４３は、一次側接地線４２０の先端に取り付けられる一次側連結部４３０と、二次側接地線４２１の先端に取り付けられる二次側連結部４３１であって、絶縁操作棒２の先端側で一次側接地線４２０に連結可能な二次側連結部４３１とを備えている。一次側連結部４３０と連結部材４３の二次側連結部４３１とのそれぞれは、互いに引き寄せあう磁力を有している。
【００４２】
図３に示すように、一次側連結部４３０は、一次側接地線４２０の先端が取り付けられている第一端と該第一端とは反対側の第二端とを有する一次側本体部４３０ａを備えている。一次側本体部４３０ａの第二端側には、第二端から第一端側に向けて延びる挿込穴４３０ｂが形成されている。そして、一次側本体部４３０ａの挿込穴４３０ｂを画定する部分には、一対の凹部４３０ｃ，４３０ｃが形成されている。なお、図３において図示していないが、一次側連結部４３０の外面は、絶縁されている。
【００４３】
図４に示すように、二次側連結部４３１は、二次側接地線４２１の先端が取り付けられている第一端と該第一端とは反対側の第二端とを有する二次側本体部４３１ａを備えている。そして、二次側本体部４３１ａの第二端には、一次側本体部４３０ａの挿込穴４３０ｂに挿込可能な挿込部４３１ｂが設けられている。さらに、挿込部４３１ｂには、一次側本体部４３０ａの一対の凹部４３０ｃ，４３０ｃのそれぞれに嵌合可能な突状部４３１ｃが設けられている。
【００４４】
上述のように、電線用作業工具１の接地構造４は、電線接続部４０から延びる一次側接地線４２０及び接地金具４１から延びる二次側接地線４２１を含み、電線接続部４０と接地金具４１とを電気的に接続する接地線４２を備えている。そのため、図１及び図２に示すように、電線用作業工具１は、一次側接地線４２０を絶縁操作棒２の先端側に保持する先端側保持部材５を備えている。また、電線用作業工具１は、二次側接地線４２１の先端を一次側接地線４２０の先端に案内するガイド部材６を備えている。
【００４５】
先端側保持部材５は、一次側接地線４２０の先端側が絶縁操作棒２の基端側に向かうように一次側接地線４２０を絶縁操作棒２に保持するようになっている。また、先端側保持部材５は、一次側接地線４２０の先端部が絶縁操作棒２の長手方向と同一又は略同一の方向に沿って延びるようにして絶縁操作棒２に保持している。なお、先端側保持部材５としては、一次側接地線４２０とともに絶縁操作棒２に巻き付けることができる帯状のものや、絶縁操作棒２に取り付けられ、一次側接地線４２０を引っ掛けることのできるフック等を採用することができる。
【００４６】
ガイド部材６は、二次側接地線４２１の先端を一次側接地線４２０の先端に案内するようになっている。より具体的に説明すると、ガイド部材６は、円環状のガイドリング６０を複数備えている。そして、複数のガイドリング６０のそれぞれは、絶縁操作棒２に取り付けられている。さらに、複数のガイドリング６０のそれぞれは、絶縁操作棒２の長手方向で間隔をあけて並んでいる。
【００４７】
本実施形態に係る電線用作業工具１は、以上の通りである。続いて、電線用作業工具１を用いた電線の充電状態の確認作業及び電線の接地作業について添付図面を参照しつつ説明を行う。なお、本実施形態では、図５に示すように、鉄塔Ｔに設けられている鉄塔（アークホーンＡが取り付けられている懸垂碍子）Ｉに保持されている電線Ｃに対して電状態の確認作業及び接地作業を行うことを前提とする。
【００４８】
電線Ｃの充電状態の確認作業及び電線Ｃの接地作業を行うにあたり、絶縁操作棒２が分割されている電線用作業工具１を作業位置まで運搬する。このとき、一次側接地線４２０と二次側接地線４２１も連結部材４３による連結を解除した状態で作業位置に運搬する。
【００４９】
そして、分割体２０同士を連結する。さらに、一次側接地線４２０を絶縁操作棒２の最も先端側に位置するガイドリング６０から順に挿通させた後に、一次側接地線４２０の先端部を先端側保持部材５によって絶縁操作棒２に保持させる。このようにして、一次側接地線４２０を絶縁操作棒２の先端側から基端側に向けて延びている状態にしつつ、絶縁操作棒２に保持させる。そして、接地金具４１を鉄塔Ｔに取り付ける。
【００５０】
このような状態で、検電部材３を電線Ｃに接近させることで、電線Ｃの充電状態を確認する。これにより、一次側接地線４２０と二次側接地線４２１との連結を解除している状態で、電線Ｃの充電状態を確認することができる。すなわち、電線接続部４０と接地金具４１とが縁切りされている状態で電線Ｃの充電状態を確認することができる。
【００５１】
そして、電線Ｃの充電状態を確認した後に、二次側接地線４２１を絶縁操作棒２の最も基端側に位置するガイドリング６０から順に挿通させることで、二次側接地線４２１の先端部を一次側接地線４２０の先端部が位置する場所に移動させる。すなわち、二次側連結部４３１を一次側連結部４３０が位置する場所に移動させる。
【００５２】
そして、一次側連結部４３０と二次側連結部４３１とが接近すると、磁力によって互いに引き付け合い、図６に示すように、一次側連結部４３０の挿込穴４３０ｂに二次側連結部４３１の挿込部４３１ｂが挿し込まれる。これに伴い、一次側連結部４３０の凹部４３０ｃ，４３０ｃに二次側連結部４３１の突状部４３１ｃ，４３１ｃが嵌合する。これにより、一次側連結部４３０と二次側連結部４３１とが連結された状態が維持される。
【００５３】
このような状態で、電線接続部４０を電線Ｃに対して電気的に接続する。より具体的に説明すると、電線接続部４０の案内部４０２を碍子Ｉに設けられているアークホーンＡに押し付ける。このようにすると、一方の案内部４０２と他方の案内部４０２とがアークホーンＡに押される結果、他方の挟持部４０１が回転する。そのため、他方の挟持部４０１が一方の挟持部４０１から離間する。このような状態で、電線接続部４０をさらにアークホーンＡに押し付けるようにすると、一方の挟持部４０１の対向面４０１ａと他方の挟持部４０１の対向面４０１ａとの間にアークホーンＡが介在する。これにより、電線接続部４０がアークホーンＡに接続される。従って、電線Ｃと電気的に接続された状態になり、電線Ｃが接地された状態になる。
【００５４】
以上のように、電線用作業工具１では、電線接続部４０と接地金具４１とが縁切りされている状態で電線Ｃの充電状態を確認することができるため、充電状態を確認する対象となる電線Ｃに電流が流れていたとしても、電線Ｃから接地金具４１に電流が流れることを防止できる。
【００５５】
また、上記構成の電線用作業工具１では、電線Ｃの充電状態を確認しているときに、連結部材４３に対する作業者からのアクセスを不能にする。そのため、上記構成の電線用作業工具１では、少なくとも電線Ｃの充電状態を確認しているときに、検電部材３及び一次側接地線４２０に対する作業者からのアクセスも不能になる。従って、上記構成の電線用作業工具１では、電線Ｃの充電状態を確認するときに、電線Ｃからの電流が流れる検電部材３及び一次側接地線４２０に作業者が接触することも防止できる。
【００５６】
従って、電線用作業工具１は、電線Ｃの充電状態の確認を行うにあたり、作業者が感電することを防止することができるという優れた効果を奏し得る。
【００５７】
また、電線用作業工具１では、先端側保持部材５が一次側接地線４２０の先端側が絶縁操作棒２の基端側に向かうように一次側接地線４２０を絶縁操作棒２に保持するようになっているため、一次側接地線４２０の先端に取り付けられる一次側連結部４３０と、二次側接地線４２１の先端に取り付けられる二次側連結部４３１とを簡単に連結させることができる。
【００５８】
さらに、電線Ｃ用作業項では、連結部材４３の一次側連結部４３０と連結部材４３の二次側連結部４３１とのそれぞれが互いに引き寄せあう磁力を有するため、一次側連結部４３０と二次側連結部４３１とは、直接操作されることを必要とせずに連結できるようになっている。従って、電線用作業工具１では、より簡単に一次側連結部４３０と二次側連結部４３１とを連結させることができる。
【００５９】
また、電線用作業工具１では、二次側接地線４２１を絶縁操作棒２の最も基端側に位置するガイドリング６０から順に挿通させて、二次側接地線４２１の先端部を一次側接地線４２０の先端部が位置する場所に移動させることができるため、作業者から離れた場所に位置する一次側連結部４３０に、二次側連結部４３１を容易に連結できる。
【００６０】
また、電線用作業工具１では、絶縁操作棒２が長手方向で分割できるようになっているため、容易に運搬することができる。
【００６１】
本発明の第一の実施形態に係る電線用作業工具の説明は、以上の通りである。続いて、本発明の第二の実施形態に係る電線用作業工具について、添付図面を参照しつつ説明を行う。尚、本実施形態において、第一の実施形態に係る電線用作業工具１と同一又は対応する構成は、第一の実施形態と同一の符号を付して説明を行う。
【００６２】
図７に示すように、本実施形態に係る絶縁操作棒２は、長尺な絶縁操作棒２であって、長手方向に基端と該基端とは反対側の先端とを有する絶縁操作棒２と、構造物に保持されている電線に接近させることで該電線の充電状態を確認する検電部材３であって、絶縁操作棒２の先端側に位置する検電部材３と、電線を接地する接地構造４とを備えている。
【００６３】
絶縁操作棒２及び検電部材３は、上記第一の実施形態における絶縁操作棒２及び検電部材３と同様である（図８参照）。
【００６４】
図７に戻り、接地構造４は、上記第一の実施形態に係る電線用作業工具１と同一の電線接続部４０、接地金具４１、接地線４２を備えている。また、接地構造４は、一次側接地線４２０と二次側接地線４２１とを連結可能な連結部材４３とを備えている。
【００６５】
連結部材４３は、一次側接地線４２０の先端に取り付けられる一次側連結部４３０と、二次側接地線４２１の先端に取り付けられる二次側連結部４３１であって、絶縁操作棒２の先端側で一次側接地線４２０に連結可能な二次側連結部４３１とを備えている。
【００６６】
一次側連結部４３０は、一次側接地線４２０の先端が取り付けられている第一端と該第一端とは反対側の第二端とを有する一次側本体部４３０ａを備えている。一次側本体部４３０ａの第二端側には、第二端から第一端側に向けて延びる挿込穴４３０ｂが形成されている。そして、一次側本体部４３０ａの挿込穴４３０ｂを画定する部分には、凹部４３０ｃが形成されている。なお、図８において図示していないが、一次側連結部４３０の外面は、絶縁されている。
【００６７】
二次側連結部４３１は、二次側接地線４２１の先端が取り付けられている第一端と該第一端とは反対側の第二端とを有する二次側本体部４３１ａを有する。そして、二次側本体部４３１ａの第二端には、一次側本体部４３０ａの挿込穴４３０ｂに挿込可能な挿込部４３１ｂが設けられている。さらに、挿込部４３１ｂには、一次側本体部４３０ａの凹部４３０ｃに嵌合可能な突状部４３１ｃが設けられている。なお、図９において図示していないが、二次側連結部４３１の外面は、絶縁されている。
【００６８】
上述のように、電線用作業工具１の接地構造４は、電線接続部４０から延びる一次側接地線４２０及び接地金具４１から延びる二次側接地線４２１を含み、電線接続部４０と接地金具４１とを電気的に接続する接地線４２を備えている。そのため、図７に示すように、電線用作業工具１は、一次側接地線４２０を絶縁操作棒２の基端側に保持する基端側保持部材７を備えている。
【００６９】
基端側保持部材７は、一次側接地線４２０の先端側が絶縁操作棒２の長手方向と同一又は略同一の方向に沿って延びるように、一次側接地線４２０を保持するようになっている。なお、基端側保持部材７としては、一次側接地線４２０とともに絶縁操作棒２に巻き付けることができる帯状のものや、一次側接地線４２０を引っ掛けることのできるフックのようなものを採用することができる。
【００７０】
本実施形態に係る電線用作業工具１は、以上の通りである。続いて、電線用作業工具１を用いた電線Ｃの充電状態の確認作業及び電線Ｃの接地作業について添付図面を参照しつつ説明を行う。なお、本実施形態においても、図１０に示すように、第一の実施形態と同様、鉄塔Ｔに設けられている碍子Ｉ（懸垂碍子）に保持されている電線Ｃに対して電状態の確認作業及び接地作業を行うことを前提とする。
【００７１】
上記第一の実施形態と同様に、作業位置に電線用作業工具１を運搬し、分割体２０同士を連結させる。そして、基端側保持部材７によって、一次側接地線４２０の先端側を絶縁操作棒２の基端部側に保持する。このようにして、一次側接地線４２０を絶縁操作棒２の先端側から基端側に向けて延びている状態にしつつ、絶縁操作棒２に保持させる。そして、接地金具４１を鉄塔Ｔに取り付ける。
【００７２】
このような状態で、検電部材３を電線Ｃに接近させることで、電線Ｃの充電状態を確認する。そのため、一次側接地線４２０と二次側接地線４２１との連結を解除している状態で、電線Ｃの充電状態を確認することができる。すなわち、電線接続部４０と接地金具４１とが縁切りされている状態で電線Ｃの充電状態を確認することができる。
【００７３】
そして、電線Ｃの充電状態を確認した後に、一次側連結部４３０の挿込穴４３０ｂに二次側連結部４３１の挿込部４３１ｂを挿し込む。これに伴い、一次側連結部４３０の凹部４３０ｃに二次側連結部４３１の突状部４３１ｃが嵌合する。これにより、一次側連結部４３０と二次側連結部４３１とが連結された状態が維持される。
【００７４】
このような状態で、図１１に示すように、上記第一の実施形態と同様、電線接続部４０をアークホーンＡに接続し、電線Ｃと電気的に接続する。これにより、電線接続部４０が電線Ｃと電気的に接続された状態になり、電線Ｃが接地された状態になる。
【００７５】
以上のように、電線用作業工具１では、電線接続部４０と接地金具４１とが縁切りされている状態で電線Ｃの充電状態を確認することができるため、充電状態を確認する対象となる電線Ｃに電流が流れていたとしても、電線Ｃから接地金具４１に電流が流れることを防止できる。
【００７６】
また、上記構成の電線用作業工具１では、電線Ｃの充電状態を確認しているときに、連結部材４３に対する作業者からのアクセスを不能にする。そのため、上記構成の電線用作業工具１では、少なくとも電線Ｃの充電状態を確認しているときに、検電部材３及び一次側接地線４２０に対する作業者からのアクセスも不能になる。従って、上記構成の電線用作業工具１では、電線Ｃの充電状態を確認するときに、電線Ｃからの電流が流れる検電部材３及び一次側接地線４２０に作業者が接触することも防止できる。
【００７７】
従って、電線用作業工具１は、電線Ｃの充電状態の確認を行うにあたり、作業者が感電することを防止することができるという優れた効果を奏し得る。
【００７８】
また、電線用作業工具１では、基端側保持部材７によって、一次側接地線４２０の先端側が絶縁操作棒２の基端側に向かうように一次側接地線４２０を絶縁操作棒２に保持されているため、一次側接地線４２０の先端に取り付けられる一次側連結部４３０と、二次側接地線４２１の先端に取り付けられる二次側連結部４３１とを簡単に連結させることができる。
【００７９】
また、電線用作業工具１では、一次側接地線４２０が基端側保持部材７によって絶縁操作棒２の基端側に保持されている。そのため、電線用作業工具１では、電線Ｃの充電状態を確認した後に、作業者が一次側連結部４３０と二次側連結部４３１とを直接操作して互いに連結させることができる。従って、電線用作業工具１では、より簡単に一次側連結部４３０と二次側連結部４３１とを連結させることができる。
【００８０】
また、電線用作業工具１では、絶縁操作棒２が長手方向で分割できるようになっているため、容易に運搬することができる。
【００８１】
尚、本発明に係る電線用作業工具は、上記実施形態に限定されるものではなく、要旨を逸脱しない範囲において種々の変更を加え得ることは勿論である。
【００８２】
上記第一の実施形態及び第二の実施形態において、特に言及しなかったが、突状部４３１ｃは、挿込部４３１ｂの外面から進出でき、且つ挿込部４３１ｂの外面から退避した状態にできるようにすることができる。このようにする場合、挿込部４３１ｂを挿込穴４３０ｂに挿し込む際に、突状部４３１ｃが一次側本体部４３０ａにおける挿込穴４３０ｂを画定する部分に接触すると、突状部４３１ｃが挿込部４３１ｂの外面から退避した状態になる。そして、挿込部４３１ｂを挿込穴４３０ｂにさらに挿し込み、突状部４３１ｃが凹部４３０ｃに対応する位置に移動すると、該突状部４３１ｃが挿込部４３１ｂの外面に進出した状態になる。これにより、一次側連結部４３０と二次側連結部４３１とが連結され
た状態が維持される。
【００８３】
また、上記第一の実施形態及び第二の実施形態において、電線接続部４０は、アークホーンＡに取り付けられていたが、これに限定されるものではなく、例えば、電線Ｃに直接的に取り付けたり、電線Ｃと電気的に繋がっている部分に取り付けたりしてもよい。
【００８４】
また、上記第一の実施形態では、電線Ｃの充電状態を確認した後に、一次側接地線４２０をガイド部材６のガイドリング６０に挿通させていたが、これに限定されるものではなく、例えば、一次側接地線４２０をガイド部材６のガイドリング６０に挿通させた状態で電線Ｃの充電状態を確認してもよい。
【００８５】
また、上記第二の実施形態において、特に言及しなかったが、第一の実施形態と同様に、一次側連結部４３０と連結部材４３の二次側連結部４３１とのそれぞれが互いに引き寄せあう磁力を有するようにしてもよい。
【符号の説明】
【００８６】
１…電線用作業工具、２…絶縁操作棒、３…検電部材、４…接地構造、５…先端側保持部材、６…ガイド部材、２０…分割体、４０…電線接続部、４１…接地金具、４２…接地線、４３…連結部材、６０…ガイドリング、７…基端側保持部材、４００…取付ベース、４０１…挟持部、４０１ａ…対向面、４０２…案内部、４０３…一次側固定部、４１０…ベース部材、４１０ａ…固定側挟持面、４１０ｂ…台部、４１０ｃ…ネジ穴、４１１…押圧部材、４１１ａ…可動側挟持面、４１１ｂ…雄ネジ部、４１１ｃ…摘部、４１２…二次側固定部、４２０…一次側接地線、４２１…二次側接地線、４３０…一次側連結部、４３０ａ…一次側本体部、４３０ｂ…挿込穴、４３０ｃ…凹部、４３１…二次側連結部、４３１ａ…二次側本体部、４３１ｂ…挿込部、４３１ｃ…突状部、Ａ…アークホーン、Ｃ…電線、Ｉ…碍子、Ｔ…鉄塔
【図１】
2014050286.tif 000003
【図２】
2014050286.tif 000004
【図３】
2014050286.tif 000005
【図４】
2014050286.tif 000006
【図５】
2014050286.tif 000007
【図６】
2014050286.tif 000008
【図７】
2014050286.tif 000009
【図８】
2014050286.tif 000010
【図９】
2014050286.tif 000011
【図１０】
2014050286.tif 000012
【図１１】
2014050286.tif 000013